【手続補正書】
【提出日】令和2年4月10日(2020.4.10)
【手続補正１】
【補正対象書類名】明細書
【補正対象項目名】０００７
【補正方法】変更
【補正の内容】
【０００７】
本発明は、レポート印刷をログインユーザに対応する言語で実行することができる仕組みを提供することを目的とする。
【手続補正２】
【補正対象書類名】明細書
【補正対象項目名】０００８
【補正方法】変更
【補正の内容】
【０００８】
本発明に係る画像処理装置は、言語の設定である第１の設定を実行する設定手段と、入力されたレポート印刷指示に基づいて前記画像処理装置が作成したレポートを印刷する手動レポート印刷及び前記レポート印刷指示の入力無しで前記画像処理装置が作成したレポートを印刷するタイミングに関する条件に基づいて前記画像処理装置が作成した当該レポートを印刷する自動レポート印刷を実行する実行手段と、を有し、前記実行手段は、前記手動レポート印刷を、前記画像処理装置にログインしたログインユーザに対応する言語の設定であり、前記第１の設定とは異なる第２の設定で設定された言語で実行し、前記自動レポート印刷を前記第１の設定で設定された言語で実行することを特徴とする。
【手続補正３】
【補正対象書類名】明細書
【補正対象項目名】０００９
【補正方法】変更
【補正の内容】
【０００９】
本発明によれば、レポート印刷をログインユーザに対応する言語で実行することができる。
【手続補正４】
【補正対象書類名】特許請求の範囲
【補正対象項目名】全文
【補正方法】変更
【補正の内容】
【特許請求の範囲】
【請求項１】
画像処理装置であって、
言語の設定である第１の設定を実行する設定手段と、
入力されたレポート印刷指示に基づいて前記画像処理装置が作成したレポートを印刷する手動レポート印刷及び前記レポート印刷指示の入力無しで前記画像処理装置が作成したレポートを印刷するタイミングに関する条件に基づいて前記画像処理装置が作成した当該レポートを印刷する自動レポート印刷を実行する実行手段と、を有し、
前記実行手段は、前記手動レポート印刷を、前記画像処理装置にログインしたログインユーザに対応する言語の設定であり、前記第１の設定とは異なる第２の設定で設定された言語で実行し、前記自動レポート印刷を前記第１の設定で設定された言語で実行することを特徴とする画像処理装置。
【請求項２】
情報を記憶する記憶手段をさらに有し、
前記情報は、前記画像処理装置で実行された通信の履歴を含み、前記レポートに含まれることを特徴とする請求項１に記載の画像処理装置。
【請求項３】
前記履歴は、前記画像処理装置によるファクシミリ通信の履歴であることを特徴とする請求項２に記載の画像処理装置。
【請求項４】
前記履歴は、前記画像処理装置による通信の結果を含むことを特徴とする請求項２又は３に記載の画像処理装置。
【請求項５】
前記第１の設定は、前記画像処理装置に管理者権限でログインしたユーザによる指示に基づいて実行されることを特徴とする請求項１乃至４の何れか１項に記載の画像処理装置。
【請求項６】
前記第１の設定で設定された言語は、前記画像処理装置にログインしたログインユーザに対応しない言語であることを特徴とする請求項１乃至５の何れか１項に記載の画像処理装置。
【請求項７】
操作画面を表示する表示手段をさらに有し、
前記第１の設定と前記第２の設定は、前記操作画面に表示される表示言語の設定であることを特徴とする請求項１乃至６の何れか１項に記載の画像処理装置。
【請求項８】
前記レポート印刷指示は、前記表示手段が表示した操作画面で受け付けられることを特徴とする請求項７に記載の画像処理装置。
【請求項９】
画像処理装置であって、
入力されたレポート印刷指示に基づいて前記画像処理装置が作成したレポートを印刷する手動レポート印刷及び前記レポート印刷指示の入力無しで、前記画像処理装置が作成したレポートを印刷するタイミングに関する条件に基づいて当該レポートを印刷する自動レポート印刷を実行する実行手段を有し、
前記実行手段は、前記手動レポート印刷を前記画像処理装置にログインしたログインユーザに対応する言語で実行し、前記自動レポート印刷を前記ログインユーザに対応しない言語で実行することを特徴とする画像処理装置。
【請求項１０】
情報を記憶する記憶手段をさらに有し、
前記情報は、前記画像処理装置で実行された通信の履歴を含み、前記レポートに含まれることを特徴とする請求項９に記載の画像処理装置。
【請求項１１】
前記履歴は、前記画像処理装置によるファクシミリ通信の履歴であることを特徴とする請求項１０に記載の画像処理装置。
【請求項１２】
前記履歴は、前記画像処理装置による通信の結果を含むことを特徴とする請求項１０又は１１に記載の画像処理装置。
【請求項１３】
前記ログインユーザに対応しない言語は、前記画像処理装置に管理者権限でログインしたユーザによる指示に基づいて設定されることを特徴とする請求項９乃至１２の何れか１項に記載の画像処理装置。
【請求項１４】
操作画面を表示する表示手段をさらに有し、
前記ログインユーザに対応する言語と前記ログインユーザに対応しない言語は、前記操作画面に表示される表示言語であることを特徴とする請求項９乃至１３の何れか１項に記載の画像処理装置。
【請求項１５】
前記レポート印刷指示は、前記表示手段が表示した操作画面で受け付けられることを特徴とする請求項１４に記載の画像処理装置。
【請求項１６】
画像処理装置であって、
前記画像処理装置にログインしたログインユーザに対応する表示言語で操作画面を表示する表示手段と、
前記ログインユーザに対応する表示言語で表示された操作画面上のオブジェクトが選択されることにより、前記画像処理装置の履歴情報を含むレポートを印刷する手動レポート印刷を実行する実行手段と、を有し、
前記実行手段は、前記手動レポート印刷を前記ログインユーザに対応する表示言語で実行し、
前記表示手段は、前記オブジェクトを前記履歴情報と合わせて表示可能であることを特徴とする画像処理装置。
【請求項１７】
前記履歴情報は、前記画像処理装置によるファクシミリ通信の履歴を示す情報であることを特徴とする請求項１６に記載の画像処理装置。
【請求項１８】
前記履歴情報は、前記画像処理装置による通信の結果を示す情報を含むことを特徴とする請求項１６又は１７に記載の画像処理装置。
【請求項１９】
前記実行手段は、前記オブジェクトが選択されることなく、前記画像処理装置が作成したレポートを印刷するタイミングに関する条件に基づいて当該レポートを印刷する自動レポート印刷を前記ログインユーザに対応しない言語で実行し、
前記ログインユーザに対応しない言語は、前記画像処理装置に管理者権限でログインしたユーザによる指示に基づいて設定されることを特徴とする請求項１６乃至１８の何れか１項に記載の画像処理装置。
【請求項２０】
画像処理装置の制御方法であって、
言語の設定である第１の設定を実行する設定工程と、
入力されたレポート印刷指示に基づいて前記画像処理装置が作成したレポートを印刷する手動レポート印刷及び前記レポート印刷指示の入力無しで前記画像処理装置が作成したレポートを印刷するタイミングに関する条件に基づいて前記画像処理装置が作成した当該レポートを印刷する自動レポート印刷を実行する実行工程と、を有し、
前記実行工程は、前記手動レポート印刷を、前記画像処理装置にログインしたログインユーザに対応する言語の設定であり、前記第１の設定とは異なる第２の設定で設定された言語で実行し、前記自動レポート印刷を前記第１の設定で設定された言語で実行することを特徴とする画像処理装置の制御方法。
【請求項２１】
画像処理装置の制御方法であって、
入力されたレポート印刷指示に基づいて前記画像処理装置が作成したレポートを印刷する手動レポート印刷及び前記レポート印刷指示の入力無しで、前記画像処理装置が作成したレポートを印刷するタイミングに関する条件に基づいて当該レポートを印刷する自動レポート印刷を実行する実行工程を有し、
前記実行工程は、前記手動レポート印刷を前記画像処理装置にログインしたログインユーザに対応する言語で実行し、前記自動レポート印刷を前記ログインユーザに対応しない言語で実行することを特徴とする画像処理装置の制御方法。
【請求項２２】
画像処理装置の制御方法であって、
前記画像処理装置にログインしたログインユーザに対応する表示言語で操作画面を表示する表示工程と、
前記ログインユーザに対応する表示言語で表示された操作画面上のオブジェクトが選択されることにより、前記画像処理装置の履歴情報を含むレポートを印刷する手動レポート印刷を実行する実行工程と、を有し、
前記実行工程は、前記手動レポート印刷を前記ログインユーザに対応する表示言語で実行し、
前記表示工程は、前記オブジェクトを前記履歴情報と合わせて表示可能であることを特徴とする画像処理装置の制御方法。
【請求項２３】
請求項２０に記載された画像処理装置の制御方法をコンピュータに実行させるためのプログラム。
【請求項２４】
請求項２１に記載された画像処理装置の制御方法をコンピュータに実行させるためのプログラム。
【請求項２５】
請求項２２に記載された画像処理装置の制御方法をコンピュータに実行させるためのプログラム。